(57)【要約】【課題】本発明は、シャワースペースと他の衛生スペースとを区切るシャワーカーテンからなるシャワールームユニットの出入口のドア部分から、シャワー散水が飛び出ることのないシャワールームユニットを提供するものである。【解決手段】上記課題を解決するため、シャワースペースと出入口を設けた他の衛生スペースとをシャワーカーテンで区切り、出入口近くの区切りの壁際又は開口枠に水返し部材を設けたことを特徴とするシャワールームユニット。【選択図】図１
2006342606.tif 000002
【特許請求の範囲】
【請求項１】
シャワースペースと出入口を設けた他の衛生スペースからなるシャワールームユニットにおいて、シャワースペースと他の衛生スペースとを区切るシャワーカーテンを出入口側の壁に固定し、該シャワーカーテンが固定された壁際に水返し部材を設けたことを特徴とするシャワールームユニット。
【請求項２】
水返し部材は、シャワースペースの壁面に取り付けられていることを特徴とする請求項１記載のシャワールームユニット。
【請求項３】
水返し部材は、出入口のドア枠と一体に形成されていることを特徴とする請求項１記載のシャワールームユニット。
【請求項４】
水返し部材は、出入口のドア枠に取り付けられていることを特徴とする請求項１記載のシャワールームユニット。
【請求項５】
水返し部材と対向する壁面にシャワーカランが固定されていることを特徴とする請求項１〜４の何れか１記載のシャワールームユニット。
【発明の詳細な説明】
【技術分野】
【０００１】
本発明は、シャワースペースと出入口を設けた他の衛生スペースからなるシャワールームユニットに係り、該シャワールームユニットの出入口のドアから通路側へ水が飛散するのを防止する水返し部材を室内側に設けた、シャワールームユニットに関するものである。
【背景技術】
【０００２】
シャワースペースとトイレスペースを組み合わせ、トイレスペース側への水の飛散を防止するため、シャワースペースとトイレスペースとの間をカーテンで区切ったシャワールームユニットは従来より知られている。
【０００３】
図５は、シャワースペースａと、便器と洗面器を備えたトイレスペースｂを組み合わせた従来例のシャワールームユニットｕで、シャワールームユニットｕを構成するトイレスペースｂの一側面に出入口となるドアｄを設け、該側面を延長してシャワースペースａを形成した壁面ｅにシャワーカランｆが取り付けられ、シャワースペースａとトイレスペースｂを区切るシャワーカーテンｃを、対向する壁面に固定したシャワールームユニットｕが示されている「特許文献１」。
【０００４】
しかし、利用者がシャワーカーテンｃを閉めてシャワーカランｆを利用した場合、シャワー散水の大半はシャワーカーテンｃにより水が跳ね返り、シャワースペースａより外に水が出ることはないが、シャワーカーテンｃの閉め具合によっては、シャワーカーテンｃと壁面ｅとの隙間より、シャワースペースａ外へ水がまわり、引いては出入口のドアｄから通路側へシャワー散水が飛び出てしまう、という問題点があった。
【特許文献１】特開平９−２８７３０４号公報
【発明の開示】
【発明が解決しようとする課題】
【０００５】
本発明は、上記問題点を解決したもので、シャワースペースと他の衛生スペースとを区切るシャワーカーテンからなるシャワールームユニットの出入口のドアより、シャワー散水が飛び出ることのないシャワールームユニットを提供するものである。
【課題を解決するための手段】
【０００６】
本発明は、上記課題を解決するための具体的手段として、シャワースペースと他の衛生スペースとをシャワーカーテンで区切り、出入口近くの区切りの壁際に水返し部材を設けたシャワールームユニットを特徴とする。
【０００７】
また、上記水返し部材を、シャワースペースの壁面に取り付けたシャワールームユニットを特徴とする。
【０００８】
更に、水返し部材を、出入口のドア枠と一体に形成したシャワールームユニットを特徴とする。
【０００９】
また、水返し部材を、出入口のドア枠に取り付けたシャワールームユニットを特徴とする。
【００１０】
更に、水返し部材と対向する壁面に、シャワーカランを固定したシャワールームユニットを特徴とする。
【発明の効果】
【００１１】
本発明のシャワールームユニットは、シャワースペースと他の衛生スペースとをシャワーカーテンで区切り、出入口側の壁に固定したシャワーカーテンの壁際に水返し部材を設けたので、シャワールームユニット内より外側（通路側）へのシャワーの漏水を回避することができるようになった。
【００１２】
また、水返し部材を出入口のドア枠と一体に形成したので視覚的に違和感がなく、利用者がシャワーを使用する際の障害にならない。
【００１３】
更に、水返し部材の奥行サイズを１００ｍｍに抑えている（これを越えると動線上邪魔になる）ので突出感が少なく、シャワーを使用する際の障害にならない。
【００１４】
また、水返し部材をドア枠と同材同色（例えば、アルミ材）で成形した一体のデザインの為、視覚的に違和感のないものとなった。
【００１５】
更に、水返し部材が壁面より突出しているので、シャワールームユニットを使用する人は手摺り代わりとして利用することができる。
【発明を実施するための最良の形態】
【００１６】
本発明を実施例に沿って詳細に説明する。
【実施例】
【００１７】
図１は、本発明の水返し部材１を設けた、シャワースペース２と他の衛生スペース３からなるシャワールームユニットＵの平面図を示すものである。図２は、本発明の水返し部材１を設けた出入口付近の拡大断面図を示すもので、図２ａに示す水返し部材１は、出入口側の壁５に固定したシャワーカーテン４の壁際に取り付けられており、図２ｂに示す水返し部材１は、シャワールームユニットＵの出入口を形成する開口枠６の一方の部材６１に一体成形されており、図２ｃに示す水返し部材１は、出入口を形成する開口枠６に取り付けたものである。図３は、本発明の水返し部材１を設けた壁面をシャワーカラン７側より見た正面図を示すものである。図４は、本発明の水返し部材１を設けたシャワースペース２を、他の衛生スペース３側よりみた側面図を示すものである。
【００１８】
本発明の水返し部材１を設けたシャワールームユニットＵを図１〜４に基づいて以下説明する。
図１に示すように、シャワールームユニットＵは、シャワースペース２と他の衛生スペース（例えば、「トイレスペース」）３から構成され、シャワーカラン７を使用する散水がシャワースペース２に隣接する他の衛生スペース３に飛び散らないよう、シャワースペース２と他の衛生スペース３との間にシャワーカーテン４が設けられる。
【００１９】
シャワールームユニットＵを構成する他の衛生スペース３の壁にドア８が取り付けられ、該壁に連続しシャワースペース２を構成する壁５の出入口に近い壁面にシャワーカーテン４を固定し、相対する壁面にシャワーカラン７が設けられる。
該シャワーカーテン３は、出入口側の壁５からシャワーカラン７に向けてスライドするようになっている。
【００２０】
図２ａは、本発明の水返し部材１を、シャワースペース２側の壁面５に固定した実施例を示すものです。
シャワースペース２に隣接する他の衛生スペース３に開口枠６が取り付けられ、該開口枠内にドア８を取り付けた出入口が設けられているが、本発明の水返し部材１は、出入口を形成する開口枠６とシャワーカーテン３との間の壁面５に固定されている。
該水返し部材１は床より天井までの長さを有し、壁面５より突出する幅を１００ｍｍ
以下としている。これは、壁面５より突出する奥行幅を大きくすると、シャワールームユニットＵ内における動線において支障を来す恐れがあるからである。
【００２１】
図２ｂは、本発明の水返し部材１を、シャワースペース２に隣接する他の衛生スペース３の開口枠６１と一体に成形した他の実施例を示すものです。
シャワールームユニットＵ内に設ける水返し部材１を、シャワースペース２側の開口枠６１と一体に成形してあるので、上記した開口枠６とシャワーカーテン３との間の壁面５に固定した実施例と異なり、違和感のない水返し部材１となる。
【００２２】
図２ｃは、本発明の水返し部材１を、シャワースペース２に隣接する他の衛生スペース３の開口枠６に固定した他の実施例を示すものです。
シャワールームユニットＵ内に設ける水返し部材１を、シャワースペース２側の開口枠６に固定したので、開口枠６とシャワーカーテン３との間の壁面５に固定した実施例と異なり、違和感のない水返し部材１となる。また、上記した水返し部材１は、何れも開口枠６と同し材料、同じ色で成形される。
なお、前述の実施例では、シャワ−カランを水返し部材と対向する壁面に設けたが、水返し部材を固定した壁面に設けても良い。この場合、撒水方向が出入口から遠ざかる方向のため、出入口からの漏水を更に防ぐことができる。
【図面の簡単な説明】
【００２３】
【図１】本発明の水返し部材を設けたシャワールームユニットの平面図である。
【図２ａ】本発明の水返し部材をシャワーカーテンを固定した壁際に設けた出入口付            近の拡大断面図である。
【図２ｂ】本発明の水返し部材を開口枠と一体成形した出入口付近の拡大断面図であ            る。
【図２ｃ】本発明の水返し部材を開口枠に固定した出入口付近の拡大断面図である。
【図３】本発明の水返し部材を設けた壁面の正面図である。
【図４】本発明の水返し部材を設けた壁面の側面図である。
【図５】従来のシャワールームユニットを示す平面図である。
【符号の説明】
【００２４】
１     水返し部材
２     シャワースペース
３     他の衛生スペース
４     シャワーカーテン
５     壁
６     開口枠
６１   開口枠
７     シャワーカラン
８     ドア
９     受け位置決め材
ａ     シャワースペース
ｂ     トイレスペース
ｃ     シャワーカーテン
ｄ     ドア
ｅ     壁面
ｆ     シャワーカラン
ｕ     シャワールームユニット
【図１】
2006342606.tif 000003
【図２ａ】
2006342606.tif 000004
【図２ｂ】
2006342606.tif 000005
【図２ｃ】
2006342606.tif 000006
【図３】
2006342606.tif 000007
【図４】
2006342606.tif 000008
【図５】
2006342606.tif 000009